【事件の表示】
　特許第２８６９９４１号「プロジェクションスクリーンの貼合せ方法」の特許に対する特許異議の申立てについて、次のとおり決定する。
【結　論】
　訂正を認める。
　特許第２８６９９４１号の請求項１ないし２に係る特許を維持する。
【理　由】
１．手続の経緯
　特許２８６９９４１号の請求項１〜３に係る発明は平成１年１０月３１日の出願であって、平成１１年１月８日にその設定登録がなされ、その後、申立人村岡宏より請求項１〜３に係る発明に対して特許異議申立がなされ、取消理由通知がなされ、その指定期間内である平成１２年２月８日に訂正請求（後日取下げ）がなされた後、再度の取消理由通知がなされ、その指定期間内である平成１２年５月１７日に訂正請求がなされたものである。
２．訂正の適否についての判断
２−１．訂正の内容
　特許権者が求めている訂正の内容は、以下のａ，ｂのとおりである。
ａ．特許請求の範囲に記載される「（１）複数枚のスクリーン板を貼り合わせたプロジェクションスクリーンの貼合せ方法において、前記各スクリーン板は、外部環境に面する側ほどサイズを小さくして、前記各スクリーンの外面からテープにより貼り合わせたことを特徴とするプロジェクションスクリーンの貼合せ方法。
　（２）前記各スクリーン板は、折り曲げ強度の弱い順にサイズを小さくして貼り合わせたことを特徴とする請求項（１）記載のプロジェクションスクリーンの貼合せ方法。
　（３）前記各スクリーン板は、湾曲して貼り合わせたことを特徴とする請求項（１）または（２）記載のプロジェクションスクリーンの貼合せ方法。」を
　「（１）複数枚のスクリーン板を貼り合わせたプロジェクションスクリーンの貼合せ方法において、前記各スクリーン板は、外部環境に面する側ほど縦横にそれぞれサイズを小さくして、かつ、折り曲げ強度の弱い順にサイズを小さくして、前記各スクリーンの外面からテープにより貼り合わせたことを特徴とするプロジェクションスクリーンの貼合せ方法。
　（２）前記各スクリーン板は、湾曲して貼り合わせたことを特徴とする請求項（１）記載のプロジェクションスクリーンの貼合せ方法。」に訂正する。
ｂ．明細書第４頁第２行目〜同第１２行目の「前記課題を解決するために、・・・てもよい。」の記載を次のとおり訂正する。「前記課題を解決するために、本発明によるプロジェクションスクリーンの貼合せ方法は、複数枚のスクリーン板を貼り合わせたプロジェクションスクリーンの貼合せ方法において、前記各スクリーン板は、外部環境に面する側ほど縦横にそれぞれサイズを小さくして、かつ、折り曲げ強度の弱い順にサイズを小さくして、前記各スクリーンの外面からテープにより貼り合わせた構成としてある。このとき、前記各スクリーン板は、湾曲して貼り合わせてもよい。」
２−２．訂正の目的の適否、新規事項の有無及び拡張・変更の存否
  上記ａの訂正事項に関連する記載として、願書に添付した明細書（以下、「特許明細書」という。）第４頁第１９行目〜同第５頁２行目の「この実施例の貼合せ方法では、２枚のレンズシート１，２を貼り合わせた例を示しており、入光側に配置したレンズシート１よりも、出光側のレンズシートを小さくしてある。」の記載、同第６頁第１７行目〜同第１８行目の「レンズシート１は、アクリル樹脂を用いて縦５８０ｍｍ、横７８０ｍｍ、厚さ３ｍｍに製造した。」の記載、同第７頁第１行目〜同第３行目の「レンズシート２は、アクリル樹脂を用いて縦５７９ｍｍ、横７７９ｍｍ、厚さ１ｍｍに製造した。」の記載及び第１図、並びに、同第８頁第１９行目〜同９頁第１行目の「各レンズシート１〜３は、出光側のレンズシート２が最小になるように、縦、横をそれぞれ０．５〜１．０ｍｍ程度ずつ小さくしてあり」の記載及び第２図から、「各スクリーン板は、外部環境に面する側ほど縦横にそれぞれサイズを小さくして、かつ、折り曲げ強度の弱い順にサイズを小さくして」いることは特許明細書に記載されているものと認める。
　そうすると、上記ａの訂正は、特許明細書に記載された事項の範囲内において各スクリーン板をより狭く限定しようとするものといえるから、特許請求の範囲の減縮に該当するものであり、新規事項の追加に該当しない。また、上記ｂの訂正は、上記ａと同様の理由により、明りょうでない記載の釈明に該当するものであって、新規事項の追加に該当しない。
　そして、上記いずれの訂正も実質上特許請求の範囲を拡張し、又は変更するものでもない。
２−３．独立特許要件の判断
　当審が平成１１年１１月１７日付けで通知した取消理由で引用した刊行物１（特開平１−１０５９２０号公報）には、「フレネルレンズスクリーンの外方にこれより厚さの薄いレンチキラースクリーンが重ね合わされてなるスクリーンに」（第１頁左下欄第６行〜第８行の特許請求の範囲）、
「上記レンチキラースクリーンの外形寸法は上記フレネルレンズスクリーンに対し高さを短かくし」（第１頁左下欄第１０行〜第１２行の特許請求の範囲）、
「外部環境による湿度で、レンチキラースクリーンはフレネルレンズスクリーンより早く吸湿し急激な伸びを生じるが、すき間のある下方及び両側に伸びが逃がされ、波うち現象や下ぶくれ変形がなくされる」（第２頁左下欄第１６行〜第２０行）、
「共にアクリル樹脂材からなるフレネルレンズスクリーン２とレンチキラースクリーン３とは」（第１頁右下欄第１８行〜第２０行）と記載され、
　刊行物２（特開平１−１７７０２５号公報）には、「接着手段（１５）としては、作業性　接着性の・・・通常の接着テープを用いることも可能である。」（第３頁左下欄第１２行〜第２０行）と記載されており、第５図に、フレネルレンズスクリーン（２）およびレンチキュラーレンズスクリーン（３）の外面からテープで接着した状態が記載され、
　刊行物３（実願昭６３−８５１４２号の明細書および図面の記載事項が記載されたマイクロフィルム（実開平１−５７７３２号））には、「第２のスクリーン部材の厚さを第１のスクリーン部材よりも薄い部材とし、予め弓なりに反っているので、第２のスクリーン部材が第１のスクリーン部材に密着し、ふくれが発生しない。」（第５頁第３行〜第６行）と記載されている。
（対比・判断）
　訂正明細書の請求項１に係る発明（以下、「本件請求項１に係る発明」という。）と刊行物１に記載された発明とを比較すると、「複数枚のスクリーン板を貼り合わせたプロジェクションスクリーンの貼合せ方法において、前記各スクリーン板は、外部環境に面する側ほどサイズを小さくして、かつ、折り曲げ強度の弱い順にサイズを小さくして、前記各スクリーンをテープにより貼り合わせたことを特徴とするプロジェクションスクリーンの貼合せ方法。」の点で両者は一致し、次の（１）、（２）の点で相違する。
（１）本件請求項１に係る発明は、各スクリーン板は、外部環境に面する側ほど縦横にそれぞれサイズを小さくしているのに対し、刊行物１に記載された発明は、外部環境に面する側ほど高さを短かくしている点。
（２）本件請求項１に係る発明は、前記各スクリーンの外面からテープにより貼り合わせているのに対し、刊行物１に記載された発明は、粘着テープにより貼り合わせている点で相違する。
　次に上記相違点（１）、（２）について検討する。
（１）「各スクリーン板は、外部環境に面する側ほど縦横にそれぞれサイズを小さくし」た点は、刊行物２に「この例ではフレネルレンズスクリーン（２）をレンチキュラーレンズスクリーン（３）より大きめに形成し」（第３頁右上欄第１３行〜第１５行）及び第３図に記載されている。
（２）「各スクリーンの外面からテープにより貼り合わせている」点は、刊行物２に記載されているが、刊行物２は「フレネルレンズスクリーン及びレンチキュラーレンズスクリーンが有効画面外で接着又は溶着により一体化したことにより、透過型スクリーンを一枚物として取り扱うことができる」（第４頁右上欄第７行〜第１１行）ものであって、本件のように「外部の温度、湿度が変化しても各スクリーン板間に間隙が生ずることがない」ことを目的とするものではない。
　よって、相違点（１）、（２）はそれぞれ刊行物２に記載されているが、目的・課題が相違するので、刊行物２の技術事項を刊行物１に適用することはできない。
　そして、本件請求項１に係る発明は、各スクリーン板のサイズ、折り曲げ強度及びテープによる貼り合わせを限定したことにより、「一般に、スクリーン板の縦、横が同サイズであって、材質が同じ場合には、折り曲げ強度の弱い板は、強度の強い板より薄い。したがって、外部の温度、湿度が変化したときに、各スクリーン板１，２がその外周を支持する枠体に突き当たると、折り曲げ強度の弱い（板厚の薄い）スクリーン板２の方が浮きあがり間隙が生じてしまう。そこで、スクリーン板２の方を小さくしている。」ことになり、「温度や湿度等の外部環境が変化した場合でも、各スクリーン板間に間隙が生ずることがない」という顕著な効果を奏するものであり、本件請求項１に係る発明は、上記刊行物１〜３記載のものから当業者が容易に発明をすることができたものではない。
　次に、本件請求項２に係る発明は、本件請求項１に係る発明の「各スクリーン板は、外部環境に面する側ほど縦横にそれぞれサイズを小さくして、かつ、折り曲げ強度の弱い順にサイズを小さくして、前記各スクリーンの外面からテープにより貼り合わせている」を構成として含むものであるから、本件請求項１に係る発明で述べた理由と同じ理由で、本件請求項２に係る発明は、上記刊行物１〜３記載のものから当業者が容易に発明をすることができたものではない。
　また、当審が通知した平成１２年５月９日付け取消理由通知に記載した理由によっても、本件請求項１及び２に係る発明が、特許出願の際独立して特許を受けることができないものとはいえない。
２−４．むすび
　以上のとおりであるから、上記訂正は、特許法第１２０条の４第２項及び同条第３項で規定する訂正について、平成６年法律第１１６号附則第６条第１項の規定によりなお従前の例によるとされる改正前の特許法第１２６条第１項ただし書き、同条第２項及び同条第３項の規定に適合するので、当該訂正を認める。
３．特許異議申立てについて
３−１．本件発明
　平成１２年５月１７日付けで提出された訂正明細書の請求項１及び２に係る発明は、その特許請求の範囲の請求項１及び２に記載された事項により特定される次のとおりのものである。
　「（１）複数枚のスクリーン板を貼り合わせたプロジェクションスクリーンの貼合せ方法において、前記各スクリーン板は、外部環境に面する側ほど縦横にそれぞれサイズを小さくして、かつ、折り曲げ強度の弱い順にサイズを小さくして、前記各スクリーンの外面からテープにより貼り合わせたことを特徴とするプロジェクションスクリーンの貼合せ方法。
　（２）前記各スクリーン板は、湾曲して貼り合わせたことを特徴とする請求項（１）記載のプロジェクションスクリーンの貼合せ方法。」
３−２．申立ての理由の概要
　特許異議申立人村岡宏は、請求項１乃至３に係る発明の特許は、甲第１号証（特開平１−１０５９２０号公報）、甲第２号証（特開平１−１７７０２５号公報）及び甲第３号証（実願昭６３−８５１４２号の明細書および図面の記載事項が記載されたマイクロフィルム（実開平１−５７７３２号））に記載された発明に基づいて当業者が容易に発明をすることができたものであり、特許法第２９条第２項に違反しているから、同法第１１３条の規定によって取り消されるべきものである旨主張している。
３−３．各甲号証
　甲第１号証〜甲第３号証は、それぞれ当審が通知した取消理由で引用した刊行物１（特開平１−１０５９２０号公報）、刊行物２（特開平１−１７７０２５号公報）及び刊行物３（実願昭６３−８５１４２号の明細書および図面の記載事項が記載されたマイクロフィルム（実開平１−５７７３２号））であって、各甲号証には、上記２−３．で示したと同様の内容が記載されている。
３−４．対比・判断　　
　上記２−３．で示したように各甲号証には、「各スクリーン板は、外部環境に面する側ほど縦横にそれぞれサイズを小さくして、かつ、折り曲げ強度の弱い順にサイズを小さくして、前記各スクリーンの外面からテープにより貼り合わせている」点を有していない。
　本件請求項１及び２に係る発明は、この各スクリーン板により、スクリーン板の縦、横が同サイズであって、材質が同じ場合には、折り曲げ強度の弱い板は、強度の強い板より薄く、外部の温度、湿度が変化したときに、各スクリーン板１，２がその外周を支持する枠体に突き当たると、折り曲げ強度の弱い（板厚の薄い）スクリーン板２の方が浮きあがり間隙が生じてしまうが、スクリーン板２の方を小さくしているので、外部の温度、湿度が変化しても各スクリーン板間に間隙が生ずることがないものである。よって、請求項１及び２に係る発明は、上記甲第１号証〜甲第３号証に記載された発明から容易に発明をすることができたものとすることはできない。
３−５．むすび
　以上のとおりであるから、特許異議申立ての理由及び証拠によっては本件発明についての特許を取り消すことはできない。
　また、他に本件発明についての特許を取り消すべき理由を発見しない。
　よって、結論のとおり決定する。
【異議決定日】
平成１２年５月２６日（２０００．５．２６）
【訂正の要旨】
訂正の要旨
　特許２８６９９４１号（平成１年１０月３１日出願、平成１１年１月８日設定登録）の願書に添付した明細書を、特許請求の範囲の減縮及び明りょうでない記載の釈明を目的として、訂正請求書（平成１２年５月１７日請求）に添付した訂正明細書のとおり、すなわち、次のとおり訂正する。
訂正事項
　特許請求の範囲の減縮を目的として、
　特許請求の範囲に記載される「（１）複数枚のスクリーン板を貼り合わせたプロジェクションスクリーンの貼合せ方法において、前記各スクリーン板は、外部環境に面する側ほどサイズを小さくして、前記各スクリーンの外面からテープにより貼り合わせたことを特徴とするプロジェクションスクリーンの貼合せ方法。
　（２）前記各スクリーン板は、折り曲げ強度の弱い順にサイズを小さくして貼り合わせたことを特徴とする請求項（１）記載のプロジェクションスクリーンの貼合せ方法。
　（３）前記各スクリーン板は、湾曲して貼り合わせたことを特徴とする請求項（１）または（２）記載のプロジェクションスクリーンの貼合せ方法。」を
　「（１）複数枚のスクリーン板を貼り合わせたプロジェクションスクリーンの貼合せ方法において、前記各スクリーン板は、外部環境に面する側ほど縦横にそれぞれサイズを小さくして、かつ、折り曲げ強度の弱い順にサイズを小さくして、前記各スクリーンの外面からテープにより貼り合わせたことを特徴とするプロジェクションスクリーンの貼合せ方法。
　（２）前記各スクリーン板は、湾曲して貼り合わせたことを特徴とする請求項（１）記載のプロジェクションスクリーンの貼合せ方法。」に訂正する。
　明りょうでない記載の釈明を目的として、
　明細書第４頁第２行目〜同第１２行目の「前記課題を解決するために、・・・てもよい。」の記載を次のとおり訂正する。「前記課題を解決するために、本発明によるプロジェクションスクリーンの貼合せ方法はにおいて、複数枚の
　スクリーン板を貼り合わせたプロジェクションスクリーンの貼合せ方法において、前記各スクリーン板は、外部環境に面する側ほど縦横にそれぞれサイズを小さくして、かつ、折り曲げ強度の弱い順にサイズを小さくして、前記各スクリーンの外面からテープにより貼り合わせた構成としてある。このとき、前記各スクリーン板は、湾曲して貼り合わせてもよい。」
（５４）【発明の名称】
プロジェクションスクリーンの貼合せ方法
（５７）【特許請求の範囲】
（１）　複数枚のスクリーン板を貼り合わせたプロジェクションスクリーンの貼合せ方法において、
　前記各スクリーン板は、
　外部環境に面する側ほど縦横にそれぞれサイズを小さくして、
　
かつ、折り曲げ強度の弱い順にサイズを小さくして、
　前記各スクリーンの外面からテープにより貼り合わせたこと
　を特徴とするプロジェクションスクリーンの貼合せ方法。
（
２
（１）記
【発明の詳細な説明】
〔産業上の利用分野〕
　本発明は、プロジェクションＴＶシステム等に用いられるプロジェクションスクリーンの貼合せ方法に関するものである。
〔従来の技術〕
　従来のプロジェクションスクリーンの一例として、１枚のスクリーン板からなるものが知られている。
　これは、入光側にフレネルレンズ部を形成して、出光側にレンチキュラーレンズ部を形成したものであるが、スクリーンの周辺での光透過率が悪く、画面の明るさが均一でないという問題がある。
　また、プロジェクションスクリーンは、水平，垂直方向に広い視野角を有することが要求されるので、光源光を拡散させるレンチキュラーレンズシートを複数枚組み合わせる必要もある。
　したがって、プロジェクションスクリーンは、複数枚のスクリーン板から構成されるようになり、縦，横を同じサイズに断裁したスクリーン板を貼り合わせている。
　しかし、貼合せ時には、各スクリーン板間に間隙が生じやすいので、これを防止しなければならない。
　このような問題を解決するために、例えば、特開昭５８−１７８３４２号「リヤースクリーン」においては、「予め弓なりに反ったスクリーン部材同士を重ね合わせて、それらの周辺部を密着固定する」旨の提案がなされている。
〔発明が解決しようとする課題〕
　前述の提案では、各スクリーン板を貼り合わせてプロジェクションスクリーンを製造した時点では、各スクリーン板は密着している。
　しかし、プロジェクションスクリーンの使用時には、外部の環境（温度，湿度等）が急激に変化する場合もあり、これにより各スクリーン板間に浮きが生ずるという問題があった。
　このため、プロジェクションスクリーンの画質が劣化することが多かった。
　本発明の目的は、前述の課題を解決して、外部の温度，湿度が変化しても各スクリーン板間に間隙が生ずることなく、画質の劣化しないプロジェクションスクリーンの貼合せ方法を提供することである。
〔課題を解決するための手段〕
　前記課題を解決するために、本発明によるプロジェクションスクリーンの貼合せ方法は、複数枚のスクリーン板を貼り合わせたプロジェクションスクリーンの貼合せ方法において、前記各スクリーン板は、外部環境に面する側ほど縦横にそれぞれサイズを小さくして、
かつ、折り曲げ強度の弱い順にサイズを小さくして、
　このとき、前記各スクリーン板は、湾曲して貼り合わせてもよい。
〔実施例〕
　以下、図面等を参照して、実施例につき、本発明を詳細に説明する。
　第１図は、本発明によるプロジェクションスクリーンの貼合せ方法の実施例を示した斜視図である。
　この実施例の貼合せ方法では、２枚のレンズシート１，２を貼り合わせた例を示しており、入光側に配置したレンズシート１よりも、出光側のレンズシート２を小さくしてある。
　この理由は、以下のとおりである。外部に環境の変化が生じた場合には、各スクリーン板１，２のうちで、外側（出光側）のスクリーン板２の出光面（最も外側の面）２ａが、最も早く変化の影響を受け出す。しかし、温度・湿度の変化は、スクリーン板の内部で勾配をもって、時間とともに均一化されていくので、出光側のスクリーン板２が均一な条件になるのにある程度の時間がかかる。したがって、入光側（内側）に配置されたスクリーン板１が、出光側のスクリーン板２と同じ条件になるにはさらに多くの時間を必要とする。つまり、出光側のスクリーン板２は伸縮しているのに、入光側のスクリーン板１がまだ伸縮していないので、各スクリーン板間に浮きが生ずることになる。そこで、スクリーン板２をスクリーン板１よりも小さくして浮きの発生を防止している。
　また、レンズシート２は、その折り曲げ強度がレンズシート１の強度よりも弱くなるようにして貼り合わせてある。
　これは、一般に、スクリーン板の縦，横が同サイズであって、材質が同じ場合には、折り曲げ強度の弱い板は、強度の強い板よりも薄い。したがって、外部の温度，湿度が変化したときに、各スクリーン板１，２がその外周を支持する枠体に突き当たると、折り曲げ強度の弱い（板厚の薄い）スクリーン板２の方が浮きあがり間隙が生じてしまう。そこで、スクリーン板２の方を小さくしている。
　つぎに、この例の貼合わせ方法について、具体的な製造例および比較例をあげて、さらに説明する。
製造例
　レンズシート１は、フレネルレンズシートであり、光源光を平行な光にして出光するものである。レンズシート１は、アクリル樹脂を用いて縦５８０ｍｍ，横７８０ｍｍ，厚さ３ｍｍに製造した。
　レンズシート２は、レンチキュラーレンズシートであり、光源光を水平方向に拡散するものである。レンズシート２は、アクリル樹脂を用いて縦５７９ｍｍ，横７７９ｍｍ，厚さ１ｍｍに製造した。
　これらの各レンズシート１，２を、幅１５ｍｍのアセテートテープにより貼り合わせてプロジェクションスクリーンを得た。
　このプロジェクションスクリーンをレンズシート２が外側になるように、透過形プロジェクションＴＶ装置に装着して、２３℃，５０％ＲＨの恒温室に１昼夜放置したところ、各レンズシート１，２間の浮きは、０ｍｍであった。
　この透過形プロジェクションＴＶ装置を４０℃，９０％ＲＨの恒温室に２日間放置したが、浮きは、２ｍｍとほとんど発生しなかった。
比較例
　アクリル樹脂製のフレネルレンズシートを縦５８０ｍｍ，横７８０ｍｍ，厚さ３ｍｍに製造して、レンチキュラーレンズシートを縦５８０ｍｍ，横７８０ｍｍ，厚さ１ｍｍに製造した。
　これを幅１５ｍｍのアセテートテープにより貼り合わせてプロジェクションスクリーンを得た。　このプロジェクションスクリーンをレンチキュラーレンズシートが外側になるように、透過形プロジェクションＴＶ装置に装着して、２３℃，５０％ＲＨの恒温室に１昼夜放置したところ、各シート間の浮きは、０ｍｍであった。
　この透過形プロジェクションＴＶ装置を４０℃，９０％ＲＨの恒温室に２日間放置したところ、浮きが７ｍｍ発生して、画像を映写したところボケが生じて画質の劣化が認められた。
　第２図は、本発明のプロジェクションスクリーンの貼合せ方法の他の実施例を示した斜視図である。
　この例では、３枚のレンズシート１〜３を湾曲して貼り合わせてある。レンズシート１，２は、前述した実施例と同様なものであり、レンズシート３は、垂直拡散用のレンチキュラーレンズシートである。
　各レンズシート１〜３は、出光側のレンズシート２が最小になるように、縦，横をそれぞれ０．５〜１．０ｍｍ程度ずつ小さくしてあり、折り曲げ強度も、レンズシート２が最も弱く、レンズシート３，レンズシート１の順に強くなっている。
　このように、各レンズシート１〜３を湾曲して貼り合わせることにより、密着性はさらに向上する。
　以上説明した実施例に限られることなく、種々の変形を施すことができる。
　貼り合わせるスクリーン板は、前述した実施例に限られず、他のもの、例えば、リニヤフレネルレンズ，プリズムレンズ，ハエの目レンズ等のシートであってもよい。
　前述した実施例では、透過形のプロジェクションスクリーンについて説明したが、複数枚のスクリーン板から構成される反射形のプロジェクションスクリーンにも適用できる。この場合も、外部環境に面した側のスクリーン板程小さくしたり、折り曲げ強度の弱い順に貼り合わせたりすればよく、湾曲して貼り合わせれば、間隙の発生を有効に抑えることができる。
〔発明の効果〕
　以上詳しく説明したように、請求項（１），（２）によれば、温度や湿度等の外部環境が変化した場合でも、各スクリーン板間に間隙が生ずることがない。
　また、請求項（３）によれば、各スクリーン板の密着性をさらに向上させることができる。
　したがって、画質が劣化しないプロジェクションスクリーンを得ることができる。
【図面の簡単な説明】
　第１図は、本発明によるプロジェクションスクリーンの貼合せ方法の実施例を示した斜視図である。
　第２図は、本発明によるプロジェクションスクリーンの貼合せ方法の他の実施例を示した斜視図である。
　１，２，３…レンズシート